【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルフアベット使用入力鍵盤において、和文入力のための基本的鍵盤（ローマナイズによる平かな字母）、英文入力のための基本的鍵盤（アルファベット字母）、数字入力のための基本的鍵盤（０から９までの数字等）以外に、それぞれの入力種のための符号入力専用の、現実の鍵盤と同じ形をとったバーチャルな複数の鍵盤を用意して、それぞれ所定の回数、別に設けた鍵盤切り替え鍵を押し下げることにより、それを呼び出すという方式をとる小型入力端末。
【請求項２】
請求項１において、各入力種の基本的鍵盤にできるかぎりその入力種に特有の符号を配置することによって、一定回数以上鍵盤切り替え鍵を押し下げることによって呼び出される符号入力鍵盤は、入力種の違いにかかわらず、できる限り鍵盤上の同一位置に同一符号あるいは、‘’と「」、“”と『』のように、対応関係が明確である符号を配置した小型入力端末。
【請求項３】
請求項１乃至２において、呼び出された符号入力鍵盤がデイスプレーの画面に表示され、表示された鍵盤にしたがってその位置に対応する現実の鍵盤の鍵を押し下げることによって、当該鍵の入力が行われるように設定された小型入力端末。
【請求項４】
携帯電話やＰＤＡ（Ｐｅｒｓｏｎａｌ  Ｄｉｇｉｔａｌ  Ａｓｓｉｓｔａｎｔ）あるいは超小型パソコン等の携帯入力端末に使用するアルフアベット使用入力鍵盤による和文入力において、すべての字母を形式上、子音＋母音の形に整理して、子音入力あるいは子音入力に関連する入力を受け持つ鍵から成るバーチャルな子音鍵盤と母音入力あるいは母音入力に関連する入力を受け持つ鍵から成るバーチャルな母音鍵盤とを持つ小型入力端末。
【請求項５】
上記請求項４の子音用の鍵盤と母音用の鍵盤において、子音用の鍵盤の鍵を押し下げて子音を入力すると自動的に母音用の鍵盤に切り替わり、母音用の鍵盤の鍵を押し下げて母音を入力すると自動的に子音用の鍵盤に切り替わるように設定された小型入力端末。
【請求項６】
請求項４、５の場合に、子音と母音の自動的交替を保障するために、子音用の鍵盤に音価のない形式的な子音符を設定した小型入力端末。
【請求項７】
請求項４、５の場合に、子音用の鍵盤のｔの鍵を押し下げた直後に同じ鍵を連続して押し下げたばあい、この本来母音に当てられるべき鍵が先のｔ鍵と連結して促音の「っ」を入力するように設定された小型入力端末。この場合、子音母音交代のシステムとしては、最初に押し下げられたｔ鍵はｔ子音を表し、二度目に押し下げられたｔ鍵は促音符として、促音の「っ」の母音部分を表すものと理解する。
【請求項８】
請求項４、５の場合に、子音と母音の交替を保障するために、子音用の鍵盤のｎの鍵を押し下げた直後に同じ鍵を連続して押し下げたばあい、この本来母音用の鍵が先のｎ鍵と連結して鼻音の「ん」を入力するように設定された小型入力端末。この場合、子音母音交代のシステムとしては、最初に押し下げられたｎ鍵はｎ子音を表し、二度目に押し下げられたｎ鍵は鼻音符として、形式上、鼻音の「ん」の母音部分を表すものと理解する。
【請求項９】
上記請求項４乃至８にいたる請求を具体化した３行５列の和文入力の子音用鍵盤を、子音符と、ｋ、ｓ、ｔ、ｎ、ｈ、ｍ、ｙ、ｒ、ｗ、ｇ、ｚ、ｄ、ｂ、ｐの１４個の子音の入力を受け持つ鍵の合計１５の鍵によって構成した小型入力端末。
【請求項１０】
請求項９において、ｈの子音の入力を受け持つ鍵に同時にｆの入力を受け持たせ、ｗの子音の入力を受け持つ鍵に同時にｖの入力を受け持たせ、これらの鍵を押し下げたときに同時になされる入力結果をあらかじめ用意した辞書と照合して、成立しうる文字を、ディスプレーの画面に表示するように設定された小型入力端末。
【請求項１１】
上記請求項９を具体化した３行５列の和文入力の子音用鍵盤において、鍵盤の最左端最上端の第１行第１列の鍵を無音の子音符にあて、その右の第２列の鍵をｋ鍵に、第３列の鍵をｓ鍵に、第４列の鍵をｔ鍵に、第５列の鍵をｎ鍵にあて、第２行第１列の鍵をｈ鍵に、第２列の鍵をｍ鍵に、第３列の鍵をｙ鍵に、第４列の鍵をｒ鍵に、第５列の鍵をｗ鍵に、第３行第１列の鍵をｇ鍵に、第２列の鍵をｚ鍵に、第３列の鍵をｄ鍵に、第４列の鍵をｂ鍵に、第５列の鍵をｐ鍵に当てた鍵盤をもつ小型入力端末。この場合、ｋ鍵に母音Ａを加えて「か」と表記し、ｓ鍵に母音Ａを加えて「さ」と表記し、以下同様に、最後の第３行第５列のｐ鍵に母音Ａを加えて「ぱ」と表記するまで、各子音鍵に母音Ａを加えた平かなを鍵に表記した鍵盤も本発明の範囲に加えられる。
【請求項１２】
上記請求項１０を具体化した３行５列の和文入力の子音用鍵盤において、鍵盤の最左端最上端の第１行第１列の鍵を無音の子音符にあて、その右の第２列の鍵をｋ鍵に、第３列の鍵をｓ鍵に、第４列の鍵をｔ鍵に、第５列の鍵をｎ鍵にあて、第２行第１列の鍵をｈｆ鍵に、第２列の鍵をｍ鍵に、第３列の鍵をｙ鍵に、第４列の鍵をｒ鍵に、第５列の鍵をｗｖ鍵に、第３行第１列の鍵をｇ鍵に、第２列の鍵をｚ鍵に、第３列の鍵をｄ鍵に、第４列の鍵をｂ鍵に、第５列の鍵をｐ鍵に当てた鍵盤をもつ小型入力端末。
【請求項１３】
上記請求項４乃至８にいたる請求を具体化した３行５列の和文入力の母音用鍵盤を、促音符、鼻音符の２個の鍵と、ａ、ｉ、ｕ、ｅ、ｏ、ａｉ、ｕｉ、ｕｕ、ｅｉ、ｏｕ、ｙａ、ｙｕ、ｙｏの１３個の母音ならびに複合母音の入力を受け持つ鍵の合計１５の鍵によって構成した小型入力端末。
【請求項１４】
上記請求項１３の請求を具体化した３行５列の和文入力の母音用鍵盤において、鍵盤の最左端最上端の第１行第１列の鍵をｙａにあて、その右の第２列の鍵をｙｕ鍵に、第３列の鍵をｙｏ鍵に、第４列の鍵をｔ鍵を促音化する鍵すなわち促音符に、第５列の鍵をｎ鍵を鼻音化する鍵すなわち鼻音符にあて、第２行第１列の鍵をａ鍵に、第２列の鍵をｉ鍵に、第３列の鍵をｕ鍵に、第４列の鍵をｅ鍵に、第５列の鍵をｏ鍵に、第３行第１列の鍵をａｉ鍵に、第２列の鍵をｕｉ鍵に、第３列の鍵をｕｕ鍵に、第４列の鍵をｅｉ鍵に、第５列の鍵をｏｕ鍵に当てた鍵盤を持つ小型入力端末。この場合、最左端最上端の第１行第１列の鍵となるｙａをそのローマナイズに従って「や」と表記し、その右の第２列の鍵となるｙｕ鍵をそのローマナイズに従って「ゆ」と表記し、以下順に最後の第３行第５列のｏｕ鍵を「おう」と表記するまで、各鍵をそのローマナイズに従って平かな鍵にした鍵盤も本発明の範囲に加えられる。
また、第１行第４列の促音符を「っ」に、第１行第５列の鼻音符を「ん」と表記する場合も本発明に属する。
【請求項１５】
上記の３行５列の和文子音入力鍵盤に対応する英文入力鍵盤の設計において、すべてのアルファベット字母と基本的英文符号を、３行５列の二つの鍵盤に割り当てて、一方のアルファベット字母のみからなる鍵盤を最初に入力に入る表鍵盤、他方のアルファベット字母と符号からなる鍵盤を裏鍵盤として、表鍵盤を使った入力時に、鍵盤切替鍵を１打することによって、裏鍵盤に入るように設定し、そこで字母あるいは符号を入力すると自動的に表鍵盤に戻るように設定された小型入力端末。
【請求項１６】
３行５列の字母入力鍵盤に加えて、鍵盤切替鍵、クリア鍵、入力種切替鍵、、コピー鍵等の操作鍵とともに、文字大小鍵を合わせて合計５個の操作鍵を置いた小型入力端末。
【請求項１７】
請求項１６において、文字大小切替鍵を、それが和文の文章の入力中に打鍵された場合には、その直前に入力された一定数の和文字母中に小型文字表記にふさわしい字母があった場合それを小型文字に変えるように、逆にその直前に入力された一定数の和文字母中に普通の文字表記にふさわしい小型字母があった場合それを普通の文字に変えるように設定し、英文入力中に打鍵された場合にはその直前に入力された小文字を大文字に、大文字を小文字に転換するように設定された小型入力端末。
【請求項１８】
請求項１７において、文字大小切替鍵が、文章の入力後にカーソル鍵によって、切替箇所を指定したのちに打鍵された場合には、和文の場合にはこの指定部分の「つ」「や」等の普通の字体を「っ」「ゃ」等の小型の字体に、「っ」「ゃ」等の小型の字体を「つ」「や」等の普通の字体に変え、英文の場合には、大文字を小文字に、小文字を大文字に変えるように設定された小型入力端末。
【請求項１９】
アルファベット字母の入力後にカーソル鍵等によって、その字母を指定して鍵盤切替鍵を打った場合に、その字母を含む単位記号の一覧がバーチャルな鍵盤の形で画面に表示され、この表示にしたがって必要な単位記号の位置に対応する現実の鍵盤の鍵を押し下げると、その単位記号が入力されるように設定された小型入力端末。
【請求項２０】
機能切替鍵をｎ回押し下げることによって、それに対応するｎ個のバーチャルな機能鍵盤を呼び出すように設定された小型入力端末。
【請求項２１】
請求項２０において、呼び出されたバーチャルな機能鍵盤の各鍵に対応する現実の鍵盤の鍵を押し下げるとこの鍵盤の鍵のもつ機能が実現し、先にシフトキーを押し下げたのちに、同様の操作を行うと、当該鍵の下位に属する機能を持ったバーチャルな機能鍵盤が呼び出されるように設定された小型入力端末。
【請求項２２】
以上の和文入力のすべての場合において、最初に和文入力に入った場合、入力終了後一定の時間後に再び入力に入った場合、さらに入力中、子音＋母音の組み合わせによって、かな字母入力が行われた直後の入力の場合に、そこで押し下げられた鍵は子音鍵となるように設定された小型入力端末。
【請求項２３】
以上の鍵盤のすべてにおいて、字母入力および数字入力の場合に最初に入る基本的鍵盤以外の鍵盤は、そこでの入力が成立した瞬間に、自動的に現在入力中の入力種の最初の基本的鍵盤にもどるように設定された小型入力端末。